(57)【要約】【課題】効率良く換気を行うことができ、快適な居住環境を形成することが可能な建物を提供することを目的とする。【解決手段】上階の部屋２０ａの壁２０ｂに、この上階の部屋２０ａの内部と屋外とを連通する開口部２０ｃが形成されており、建物本体１ａは、上階の部屋２０ａの内部において開口部２０ｃから最も離間した位置に配置されるとともに、下階の床２１ａから上階の部屋２０ａの天井にわたって設けられることによって上階２０と下階２１とを連通する階段室２を備えており、この階段室２の上部には、屋根１ｂに開閉可能に設けられた天窓５と、この天窓５の下方に設けられたシーリングファン６とを備えた空調設備４が設けられていることを特徴とする建物１。これにより、天窓を開放するとともにシーリングファンを回転させることによって、開口部と階段室との間で空気を流通させることができる。【選択図】図１
2010116670.tif 000002
【特許請求の範囲】
【請求項１】
建物本体と、この建物本体の上部に設けられる屋根とを有する建物において、
前記建物本体の上階の部屋の壁に、この上階の部屋の内部と屋外とを連通する開口部が形成されており、
前記建物本体は、前記上階の部屋の内部において前記開口部から最も離間した位置に配置されるとともに、下階の床から上階の部屋の天井にわたって設けられることによって上階と下階とを連通する階段室を備えており、
この階段室の上部には、前記屋根に開閉可能に設けられた天窓と、この天窓の下方に設けられたシーリングファンとを備えた空調設備が設けられていることを特徴とする建物。
【請求項２】
請求項１に記載の建物において、
前記上階の部屋の床には、前記階段室を囲むようにして所定高さの手摺壁が立設されていることを特徴とする建物。
【請求項３】
請求項２に記載の建物において、
前記上階の部屋には、前記手摺壁の部屋側の表面に当接するようにして収納棚が設けられており、この収納棚の高さは、前記手摺壁の高さよりも低くなるように設定されていることを特徴とする建物。
【請求項４】
請求項１〜３のいずれか一項に記載の建物において、
前記階段室に設けられる階段は、下階の床の上方に設けられる踊り場と、この踊り場と下階の床との間に設けられる第１階段と、前記踊り場と上階の床との間に設けられる第２階段とからなり、
これら第１および第２階段のうち、少なくとも一方は、複数の踏み板と、これら複数の踏み板が長さ方向に沿って並設される桁材とからなるスケルトン式の階段であることを特徴とする建物。
【請求項５】
請求項１〜４のいずれか一項に記載の建物において、
前記階段室に設けられる階段は折り返し階段であり、この折り返し階段の平面視における中央部にある階段手摺りの直上に、前記シーリングファンが位置していることを特徴とする建物。
【発明の詳細な説明】
【技術分野】
【０００１】
本発明は、建物本体と、この建物本体の上部に設けられる屋根とを有する住宅等の建物に関する。
【背景技術】
【０００２】
近年、空調機器の発達に伴い、空調機器を利用して冷暖房を行うようになっている。そのため、住宅等の建物においては、空調効果を高めるために、屋内外の空気の出入りを遮断し、室内の熱が屋外に漏れないようにし、建物の内部の空調におけるエネルギー損失を少なくするために、室内の気密性および断熱性を高くした高気密・高断熱建物が利用されている。
一方、このような高気密・高断熱建物は、屋内外の空気の出入りを遮断しているために換気を十分に行う必要があった。そこで、高気密・高断熱建物の換気を行うために、建物内の部屋等、仕切られた複数の空間をまとめて換気するセントラル換気装置が利用されている（例えば、特許文献１参照）。
【特許文献１】特開平１１−３４４２５３号公報
【発明の開示】
【発明が解決しようとする課題】
【０００３】
ところが、このような換気装置を用いると換気装置の設置にコストがかかる上、多くのエネルギーを消費するという問題があった。このため、特に、春や秋等の気候がよい季節においては、上記のような空調機器や換気装置を用いずに、各部屋の窓やドアを開放して建物内部に外気を導入し、建物内部の空気と入れ換える等して自然換気を行うようにしている。
しかしながら、屋外が無風であれば、開放された窓やドアから外気を導入させることは困難である。また、例えば、一方の窓から導入した外気を、間近にある他方の窓から屋外へと排気してしまうと、一方および他方の窓から離間した位置の換気が行いにくく、効率が良くないという問題がある。
【０００４】
本発明の課題は、効率良く換気を行うことができ、快適な居住環境を形成することが可能な建物を提供することを目的とする。
【課題を解決するための手段】
【０００５】
請求項１に記載の発明は、例えば図１〜図７に示すように、建物本体１ａと、この建物本体１ａの上部に設けられる屋根１ｂとを有する建物１において、
前記建物本体１ａの上階の部屋２０ａの壁２０ｂに、この上階の部屋２０ａの内部と屋外とを連通する開口部２０ｃが形成されており、
前記建物本体１ａは、前記上階の部屋２０ａの内部において前記開口部２０ｃから最も離間した位置に配置されるとともに、下階の床２１ａから上階の部屋２０ａの天井にわたって設けられることによって上階２０と下階２１とを連通する階段室２を備えており、
この階段室２の上部には、前記屋根１ｂに開閉可能に設けられた天窓５と、この天窓５の下方に設けられたシーリングファン６とを備えた空調設備４が設けられていることを特徴とする。
【０００６】
請求項１に記載の発明によれば、前記階段室２は、前記上階の部屋２０ａの内部において前記開口部２０ｃから最も離間した位置に配置されているので、前記空調設備４の天窓５を開放するとともにシーリングファン６を回転させることによって、前記開口部２０ｃから取り込んだ外気が、前記上階の部屋２０ａの内部を通り抜けて前記階段室２まで達することとなり、前記開口部２０ｃと前記階段室２との間で空気を流通させることができる。また、前記階段室２は、前記下階の床２１ａから屋根１ｂにわたって設けられることによって上階２０と下階２１とを連通するので、前記天窓５を開放するとともに前記シーリングファン６を回転させることによって、前記下階２１からの空気を前記天窓５から排気することができる。
これによって、例えば屋外が無風状態であっても、前記開口部２０ｃを開放し、前記空調設備４の天窓５を開放するとともにシーリングファン６を回転させれば、前記上階の部屋２０ａ内の換気を行うことができるとともに、下階２１から上階２０にわたる建物１全体の換気を行うことができるので、効率が良い。
【０００７】
また、暖かい空気は上昇する性質を備えていることから、前記階段室２内の暖かい空気は、下階２１から上階２０に向かって上昇し、この階段室２の天井付近に溜まることになるので、前記天窓５を開放しておくことで、この階段室２内の暖かい空気を屋外に排気することができる。そして、このように暖かい空気を前記天窓５から排気することによって前記階段室２内に上昇気流を形成することができることから、この階段室２によって連通する上階２０および下階２１の天井付近に溜まる暖かい空気を、前記階段室２内の上昇気流に乗せて前記天窓５から屋外へと排気することができる。すなわち、前記建物本体１ａ内の暖かい空気を自然排気することができる。
さらに、このように階段室２内の上昇気流を利用して建物本体１ａ内の換気を行う際に、同時に前記シーリングファン６を回転させることによって、前記階段室２内の上昇気流による排気効率を高めることができる。
【０００８】
請求項２に記載の発明は、例えば図１〜図３，図５および図６に示すように、請求項１に記載の建物１において、
前記上階の部屋２０ａの床２０ｄには、前記階段室２を囲むようにして所定高さの手摺壁２２，２３が立設されていることを特徴とする。
【０００９】
請求項２に記載の発明によれば、前記上階の部屋２０ａの床２０ｄには、前記階段室２を囲むようにして所定高さの手摺壁２２，２３が立設されているので、この手摺壁２２，２３によって前記上階の部屋２０ａと階段室２とを仕切ることができ、安全性を向上させることができる。
また、前記手摺壁２２，２３の高さが、例えば、この手摺壁２２，２３の上端部と前記上階の部屋２０ａの天井との間に隙間をあけることができる程度の高さに設定されている場合は、この手摺壁２２，２３の上端部と前記上階の部屋２０ａの天井との間の隙間を通じて、前記上階の部屋２０ａと階段室２とを連通させることができるので、前記開口部２０ｃと階段室２との間で空気を流通させやすくなる。
【００１０】
請求項３に記載の発明は、例えば図１および図６に示すように、請求項２に記載の建物１において、
前記上階の部屋２０ａには、前記手摺壁２２，２３の部屋側の表面に当接するようにして収納棚２４が設けられており、この収納棚２４の高さは、前記手摺壁２２，２３の高さよりも低くなるように設定されていることを特徴とする。
【００１１】
請求項３に記載の発明によれば、前記上階の部屋２０ａには、前記手摺壁２２，２３の部屋側の表面に当接するようにして収納棚２４が設けられており、この収納棚２４の高さは、前記手摺壁２２，２３の高さよりも低くなるように設定されているので、この手摺壁２２，２３の上端部は、前記収納棚２４の上面よりも高い位置に設けられることとなる。これによって、前記上階の部屋２０ａにおける収納スペースを向上できるとともに、前記収納棚２４の上面に置かれた物品が階段室２側に落下することを防ぐことができる。
【００１２】
請求項４に記載の発明は、例えば図１〜図６に示すように、請求項１〜３のいずれか一項に記載の建物１において、
前記階段室２に設けられる階段３は、下階の床２１ａの上方に設けられる踊り場３ａと、この踊り場３ａと下階の床２１ａとの間に設けられる第１階段３ｂと、前記踊り場３ａと上階の床２１ａとの間に設けられる第２階段３ｃとからなり、
これら第１および第２階段３ｂ，３ｃのうち、少なくとも一方は、複数の踏み板３０と、これら複数の踏み板３０が長さ方向に沿って並設される桁材３１とからなるスケルトン式の階段であることを特徴とする。
【００１３】
請求項４に記載の発明によれば、前記第１および第２階段３ｂ，３ｃのうち、少なくとも一方は、複数の踏み板３０と、これら複数の踏み板３０が長さ方向に沿って並設される桁材３１とからなるスケルトン式の階段であることから、前記下階２１からの空気を前記天窓５から排気する際に、前記複数の踏み板３０同士の隙間を通じて空気が流通することになるので、前記下階２１からの空気が上昇しやすくなり、前記天窓５から排気させやすくなる。
【００１４】
請求項５に記載の発明は、例えば図１〜図７に示すように、請求項１〜４のいずれか一項に記載の建物１において、
前記階段室２に設けられる階段３は折り返し階段であり、この折り返し階段の平面視における中央部にある階段手摺り３ｄの直上に、前記シーリングファン６が位置していることを特徴とする。
【００１５】
請求項５に記載の発明によれば、前記階段室２に設けられる階段３は折り返し階段であり、この折り返し階段の平面視における中央部にある階段手摺り３ｄの直上に、前記シーリングファン６が位置しているので、このシーリングファン６を回すことによって、前記階段室２の上下にわたって空気を効果的に流通させることがきる。
【発明の効果】
【００１６】
本発明によれば、階段室は、上階の部屋の内部において開口部から最も離間した位置に配置されているので、空調設備の天窓を開放するとともにシーリングファンを回転させることによって、開口部から取り込んだ外気が、上階の部屋の内部を通り抜けて階段室まで達することとなり、開口部と階段室との間で空気を流通させることができる。また、階段室は、下階の床から屋根にわたって設けられることによって上階と下階とを連通するので、天窓を開放するとともにシーリングファンを回転させることによって、下階からの空気を天窓から排気することができる。
これによって、例えば屋外が無風状態であっても、開口部を開放し、空調設備の天窓を開放するとともにシーリングファンを回転させれば、上階の部屋内の換気を行うことができるとともに、下階から上階にわたる建物全体の換気を行うことができるので、効率が良い。
また、暖かい空気は上昇する性質を備えていることから、階段室内の暖かい空気は、下階から上階に向かって上昇し、この階段室の天井付近に溜まることになるので、天窓を開放しておくことで、この階段室内の暖かい空気を屋外に排気することができる。そして、このように暖かい空気を天窓から排気することによって階段室内に上昇気流を形成することができることから、この階段室によって連通する上階および下階の天井付近に溜まる暖かい空気を、階段室内の上昇気流に乗せて天窓から屋外へと排気することができる。すなわち、建物本体内の暖かい空気を自然排気することができる。
さらに、このように階段室内の上昇気流を利用して建物本体内の換気を行う際に、同時にシーリングファンを回転させることによって、階段室内の上昇気流による排気効率を高めることができる。
【発明を実施するための最良の形態】
【００１７】
以下、図面を参照して本発明の実施の形態について説明する。
【００１８】
本実施の形態の建物１は、図１〜図７に示すように、建物本体１ａと、この建物本体１ａの上部に設けられる屋根１ｂとを有するものであり、前記建物本体１ａの上階の部屋２０ａの壁２０ｂに、この上階の部屋２０ａの内部と屋外とを連通する開口部２０ｃが形成されており、前記建物本体１ａは、前記上階の部屋２０ａの内部において前記開口部２０ｃから最も離間した位置に配置されるとともに、下階の床２１ａから上階の部屋２０ａの天井にわたって設けられることによって上階２０と下階２１とを連通する階段室２を備えており、この階段室２の上部には、前記屋根１ｂに開閉可能に設けられた天窓５と、この天窓５の下方に設けられたシーリングファン６とを備えた空調設備４が設けられている。
【００１９】
図１〜図６に示すように、本実施の形態の建物１は２階建てのものであり、前記建物本体１ａ内には、下階の床２１ａから上階の部屋２０ａの天井にかけて前記階段室２が設けられている。
この階段室２は、図１に示すように、平面視において矩形状に形成されており、その内部には下階の床２１ａから上階の床２０ｄに至る階段３が設けられている。なお、本実施の形態の階段３は折り返し階段である。
【００２０】
ここで、前記上階の部屋２０ａは、図１に示すように、リビング、ダイニングおよびキッチン等を含む共用居住空間である。
そして、前記開口部２０ｃは、前記上階の部屋２０ａの南面（図１中の下方）に位置する壁２０ｂに形成されている。また、前記階段室２は、前記開口部２０ｃから最も離間した位置に配置されている。つまり、前記開口部２０ｃは、前記上階の部屋２０ａの一方のコーナー付近に配置されており、この一方のコーナーの対角である他方のコーナー付近に前記階段室２が配置されている。
【００２１】
また、前記上階の部屋２０ａには、前記壁２０ｂと平行するようにして該上階の部屋２０ａの南面に位置する壁に、前記開口部２０ｃとは異なる他の開口部２５が形成されている。
また、前記上階の部屋２０ａの西面に位置する壁には、該上階の部屋２０ａの天井付近の高さに設けられる開閉自在な通風明かり取り２６，２７が形成されている。
そして、これら開口部２０ｃ、他の開口部２５、通風明かり取り２６，２７と、前記階段室２との間に、前記リビング・ダイニング・キッチンが配設されている。
【００２２】
さらに、前記上階の部屋２０ａの床２０ｄには、前記階段室２を囲むようにして所定高さの手摺壁２２，２３が立設されている。そして、この手摺壁２２，２３によって前記上階の部屋２０ａと階段室２とを仕切ることができるので、安全性を向上できるようになっている。
【００２３】
また、本実施の形態の手摺壁２２，２３は、この手摺壁２２，２３の上端部と前記上階の部屋２０ａの天井との間に隙間をあけることができる程度の高さに設定されている。
すなわち、この手摺壁２２，２３の上端部と前記上階の部屋２０ａの天井との間の隙間を通じて、前記上階の部屋２０ａと階段室２とを連通させることができる。これによって、前記開口部２０ｃと階段室２との間で空気を流通させやすくなっている。
【００２４】
また、前記手摺壁２２は、図１および図６に示すように、前記階段３の降り口に隣接して配置されるものであり、前記手摺壁２３は、図１〜図３，図６に示すように、前記手摺壁２２と直交する方向に配置されており、平面視において矩形状に形成された階段室２の長手方向に沿っている。
また、前記手摺壁２２の、前記階段３の降り口とは反対側の端部は、前記手摺壁２３よりも前記上階の部屋２０ａの中央に向かって突出している。
【００２５】
さらに、前記上階の部屋２０ａには、図１および図６に示すように、前記手摺壁２２の前記階段３の降り口とは反対側の端部よりも、前記上階の部屋２０ａの中央側に突出しないように設定され、かつ、前記手摺壁２３の部屋側の表面に当接するようにして収納棚２４が設けられている。
【００２６】
そして、この収納棚２４の高さは、図６に示すように、前記手摺壁２２，２３の高さよりも低くなるように設定されており、この手摺壁２２，２３の上端部は、前記収納棚２４の上面よりも高い位置に設けられている。これによって、前記上階の部屋２０ａにおける収納スペースを向上できるとともに、前記収納棚２４の上面に置かれた物品が階段室２側に落下することを防ぐことができる。
【００２７】
一方、前記階段室２は、上述のように、平面視において矩形状に形成されており、その内部には下階の床２１ａから上階の床２０ｄに至る折り返し階段３が設けられている。
この折り返し階段３は、下階の床２１ａの上方に設けられる踊り場３ａと、この踊り場３ａと下階の床２１ａとの間に設けられる第１階段３ｂと、前記踊り場３ａと上階の床２１ａとの間に設けられる第２階段３ｃとからなり、前記踊り場３ａは建物の外壁に沿って配置されている。
なお、図４に示すように、前記階段室２の下階２１の部分には、物入れ２ｂが前記第１階段３ｂに隣接し、かつ、第２階段３ｃの下方において設けられている。
【００２８】
また、本実施の形態の第１階段３ｂは、図３および図５に示すように、複数の踏み板３０と、これら複数の踏み板３０が長さ方向に沿って並設される桁材３１とからなるスケルトン式の階段である。
すなわち、この第１階段３ｂは、蹴込み板がなく、骨組み（スケルトン）だけのように構成されているので、前記下階２１からの空気を前記天窓５から排気する際に、前記複数の踏み板３０同士の隙間を通じて空気が流通することになり、前記下階２１からの空気を上昇させやすくなり、前記天窓５から排気させやすくなる。
【００２９】
また、図１〜図５，図７に示すように、前記屋根１ｂには天窓５が設けられており、この天窓５の下方にはシーリングファン６が設けられている。天窓５は開閉可能に設けられており、図示しない駆動モータによって、自動的に開閉されるようになっている。
そして、天窓５の下方が前記階段室２となっている。つまり、階段室２の上方に天窓５が設けられている。
また、前記階段室２の上部には、前記天窓５と階段室２の天井２ａとの間に、通風および採光用の通気部７が天井２ａに開口して設けられている。この通気部７は、前記階段室２の天井２ａに開口する第１通気部８と、この第１通気部８の上面の一部に開口するとともに、上部に天窓５が設けられた第２通気部９とによって構成されている。
【００３０】
また、前記第１通気部８は、図２〜図５，図７に示すように、対向して平行にかつ鉛直に設けられた側壁８ａ，８ｂと、これら側壁８ａ，８ｂに直角に交わるとともに、対向して平行にかつ鉛直に設けられた側壁８ｃ，８ｄと、側壁８ａ〜８ｃの上端部に屋根１ｂと平行に傾斜して設けられた上壁８ｅと、この上壁８ｅと交差しかつ水平に設けられられた上壁８ｆによって囲まれた空間であり、その下面は階段室２の天井２ａに開口している。
また、前記側壁８ｂは側壁８ａに対して下方にずれて配置されており、これによって、前記第１通気部８の下面開口は屋根１ｂと平行に傾斜している。また、前記階段室２の天井２ａは斜めに傾斜する部分と、水平な部分とを有し、傾斜する部分と水平な部分との間に第１通気部８の下面開口が開口している。
【００３１】
また、前記第２通気部９は、鉛直に設けられた側壁９ａと、この側壁９ａに対向しかつ屋根２と直角に設けられた側壁９ｂと、これら側壁９ａ，９ｂに交わるとともに対向して平行にかつ鉛直に設けられた側壁９ｃ，９ｄと、これら側壁９ａ〜９ｃの上端部に屋根１ｂと平行に傾斜して設けられた上壁９ｅとによって囲まれた空間であり、その下面は第１通気部８に開口している。そして、上壁９ｅに前記天窓５が設けられている。
また、前記側壁９ａは側壁９ｂに対して下方にずれて配置されており、これによって、第２通気部９の下面開口は屋根１ｂと平行に傾斜している。
【００３２】
また、前記階段室２の上部にある対向する壁間に、取付ビーム１０が水平にかつ前記天窓５の直下に位置するように架設されている。
すなわち、前記階段室２の上部にある対向する壁は、図２〜図５，図７に示すように、前記第１通気部８を形成する側壁８ｃ，８ｄであり、この側壁８ｄ，８ｄ間に、前記取付ビーム１０が水平にかつ天窓５の直下に位置するように架設されている。
前記取付ビーム１０は左右に長尺な断面矩形の棒状のものであり、その中央部下面に、前記シーリングファン６が取り付けられている。
【００３３】
前記シーリングファン６は回転軸６ａと、この回転軸６ａの上端に連結されて回転軸６ａ正逆方向に回転させる駆動モータを有する取付部６ｂと、回転軸６ａの下端部に固定されたファン６ｃとによって構成されている。そして、取付部６ｂが前記取付ビーム１０の中央部下面に固定され、この取付部６ｂから回転軸６ａが垂下し、回転軸６ａの下端部にファン６ｃが水平に固定されている。このような構成のシーリングファン６は、前記第１通気部８に納まっている。
【００３４】
また、図１〜図７に示すように、前記折り返し階段３の平面視における中央部にある階段手摺り３ｄの直上に前記シーリングファン６が位置している。すなわち、前記シーリングファン６を回すことによって、前記階段室２の上下にわたって空気を効果的に流通させることがきるようになっている。
【００３５】
また、前記取付ビーム１０の上面には、前記シーリングファン６の制御を行うための温度センサ１１が第１通気部８の上壁（上面）８ｅに対向して設けられている。温度センサ１１は、前記シーリングファン６の駆動モータの制御部に接続されており、この駆動モータの制御部に、信号を出力することによって、駆動モータのＯＮ・ＯＦＦ制御や正・逆回転の制御を行うようになっている。
【００３６】
さらに、前記温度センサ１１は、駆動モータのＯＮ・ＯＦＦ制御や正・逆回転の制御を行うだけでなく、前記天窓５の開閉や、建物内に設けられた冷暖房装置のＯＮ・ＯＦＦ制御も行えるようにしてもよい。
すなわち、夏季や冬季においては、シーリングファン６、天窓５、冷暖房装置が例えば以下のように制御されるが、制御方法はこれに限るものではない。
【００３７】
前記温度センサ１１は、前記階段室２の上部付近、すなわち前記通気部７の温度を検出し、例えば、夏季の日中において、前記温度センサ１１が検出した温度が設定温度より高い場合、前記シーリングファン６をＯＮとして逆方向に回転させるとともに、前記天窓５を閉鎖させ、さらに、冷暖房装置をＯＮとして冷気を送出するように、これらを制御する。これによって、外部の暑い外気が前記天窓５から入ってこないように閉鎖するとともに、冷暖房装置から送出される冷気をシーリングファン６によって上方に吸い上げて循環させることができる。
また、夏季の夜において、前記温度センサ１１が検出した温度が設定温度より高い場合は、前記シーリングファン６をＯＮとして正方向に回転させるとともに、前記天窓５を開放させ、さらに、冷暖房装置をＯＦＦとするように、これらを制御する。これによって、外部の涼しい外気を前記天窓５からシーリングファン６によって採り入れるとともに、下方に向けて送り込むことができる。
【００３８】
また、冬季において、前記温度センサ１１が検出した温度が設定温度より低い場合、前記シーリングファン６をＯＮとして正方向に回転させるとともに、前記天窓５を閉鎖させ、さらに、冷暖房装置をＯＮとして暖気を送出するように、これらを制御する。これによって、外部の冷たい外気が前記天窓５から入ってこないように閉鎖するとともに、冷暖房装置から送出される暖気が上方に滞留しないようにシーリングファン６によって循環させることができる。
【００３９】
また、春秋季において、前記温度センサ１１が検出した温度が設定温度より高い場合、前記シーリングファン６をＯＮとして正方向に回転させるとともに、前記天窓５を開放させ、さらに、冷暖房装置をＯＦＦとするように、これらを制御する。これによって、外部の涼しい外気を前記天窓５から採り込んで、前記シーリングファン６によって下方に向けて送り込むことができる。
また、春秋季において、前記温度センサ１１が検出した温度が設定温度より低い場合、前記シーリングファン６をＯＮとして正方向に回転させるとともに、前記天窓５を閉鎖させ、さらに、冷暖房装置をＯＦＦとするように、これらを制御する。これによって、内部の空気を保持しながらシーリングファン６によって循環させることができる。
【００４０】
一方、年間を通じて、前記建物本体１ａ内を換気する場合は、前記温度センサ１１が検出する温度に関係なく、前記シーリングファン６をＯＮとして逆方向に回転させるとともに、前記天窓５を開放させ、さらに、冷暖房装置をＯＦＦとするように、これらを制御する。また、この時、前記開口部２０ｃと、他の開口部２５と、通風明かり取り２６，２７を始め、建物本体１ａ内の窓やドアのうち、少なくとも一つを開放する。なお、換気効率を高めるには、前記開口部２０ｃを開放するのが好ましく、最大限に換気効率を高めるには、全てを開放する。
これによって、例えば屋外が無風状態であっても、前記窓やドアのうちの少なくとも一つから建物本体１ａ内に外気を導入しながら、前記天窓５から排気でき、建物本体１ａ内の換気を行うことができる。
【００４１】
また、暖かい空気は上昇する性質を備えていることから、前記階段室２内の暖かい空気は、下階２１から上階２０に向かって上昇し、この階段室２の天井付近に溜まることになるので、前記天窓５を開放しておくことで、この階段室２内の暖かい空気を屋外に排気することができる。そして、このように暖かい空気を前記天窓５から排気することによって前記階段室２内に上昇気流を形成することができることから、この階段室２によって連通する上階２０および下階２１の天井付近に溜まる暖かい空気を、前記階段室２内の上昇気流に乗せて前記天窓５から屋外へと排気することができる。すなわち、前記建物本体１ａ内の暖かい空気を自然排気することができる。
さらに、このように階段室２内の上昇気流を利用して建物本体１ａ内の換気を行う際に、同時に前記シーリングファン６を回転させることによって、前記階段室２内の上昇気流による排気効率を高めることができる。
【００４２】
本実施の形態によれば、前記階段室２は、前記上階の部屋２０ａの内部において前記開口部２０ｃから最も離間した位置に配置されているので、前記空調設備４の天窓５を開放するとともにシーリングファン６を回転させることによって、前記開口部２０ｃから取り込んだ外気が、前記上階の部屋２０ａの内部を通り抜けて前記階段室２まで達することとなり、前記開口部２０ｃと前記階段室２との間で空気を流通させることができる。また、前記階段室２は、前記下階の床２１ａから屋根１ｂにわたって設けられることによって上階２０と下階２１とを連通するので、前記天窓５を開放するとともに前記シーリングファン６を回転させることによって、前記下階２１からの空気を前記天窓５から排気することができる。
これによって、例えば屋外が無風状態であっても、前記開口部２０ｃを開放し、前記空調設備４の天窓５を開放するとともにシーリングファン６を回転させれば、前記上階の部屋２０ａ内の換気を行うことができるとともに、下階２１から上階２０にわたる建物１全体の換気を行うことができるので、効率が良く、快適な居住環境を形成することが可能となる。
【図面の簡単な説明】
【００４３】
【図１】本発明の建物の上階の部屋を示す平面図である。
【図２】上部に空調設備が設けられた階段室の第２階段付近を示すものであり、一側面側から見た縦断面図である。
【図３】同、第１階段付近を示すものであり、一側面側から見た縦断面図である。
【図４】同、第２階段付近を示すものであり、他側面側から見た縦断面図である。
【図５】同、第１階段付近を示すものであり、他側面側から見た縦断面図である。
【図６】同、第２階段付近を示すものであり、一側面側および他側面側と直交する側面側から見た縦断面図である。
【図７】空調設備付近を下方から見上げた斜視図である。
【符号の説明】
【００４４】
１  建物
１ａ  建物本体
１ｂ  屋根
２  階段室
４  空調設備
５  天窓
６  シーリングファン
２０  上階
２０ａ  上階の部屋
２０ｂ  壁
２０ｃ  開口部
２１  下階
【図１】
2010116670.tif 000003
【図２】
2010116670.tif 000004
【図３】
2010116670.tif 000005
【図４】
2010116670.tif 000006
【図５】
2010116670.tif 000007
【図６】
2010116670.tif 000008
【図７】
2010116670.tif 000009